(57)【要約】【課題】多数のゲートウェイがＶｏＩＰ電話システムに含まれている場合においてもゲートウェイ制御装置の呼接続機能の集約作業を簡単に行うことができる呼接続機能集約方法を提供する。【解決手段】集約対象のゲートウェイ制御装置の制御下にある全てのゲートウェイが呼接続要求先アドレスとして集約先のゲートウェイ制御装置のＩＰアドレスを設定するまでの間、呼中継装置が当該ゲートウェイからの呼接続要求を当該集約先のゲートウェイ制御装置へ中継する。【選択図】図７
2009130605.tif 000002
【特許請求の範囲】
【請求項１】
各々が呼接続要求先アドレスに基づいてＶｏＩＰの呼接続要求を発する複数のゲートウェイと、制御対象ゲートウェイアドレスに対応するゲートウェイからの呼接続要求に応じて呼接続する呼接続機能を各々が有する複数のゲートウェイ制御装置と、を含むＶｏＩＰ電話システムにおける、前記複数のゲートウェイ制御装置の内の少なくとも２つの既存ゲートウェイ制御装置の呼接続機能を集約ゲートウェイ制御装置に集約する呼接続機能集約方法であって、
前記集約ゲートウェイ制御装置における制御対象ゲートウェイアドレスを前記既存ゲートウェイ制御装置に設定されている制御対象ゲートウェイアドレスとするアドレス設定ステップと、
前記既存ゲートウェイ制御装置に代えて前記既存ゲートウェイ制御装置のアドレスを自身のアドレスとし且つ前記集約ゲートウェイ制御装置のアドレスを中継先アドレスとして設定している呼中継装置により前記ゲートウェイからの呼接続要求を前記集約ゲートウェイ制御装置へ中継する呼中継ステップと、
前記呼接続要求先アドレスを前記既存ゲートウェイ制御装置のアドレスとしていたゲートウェイにおける当該呼接続要求先アドレスの設定を前記集約ゲートウェイ制御装置のアドレスへ変更するアドレス変更ステップと、を含むことを特徴とする呼接続機能集約方法。
【請求項２】
前記集約ゲートウェイ制御装置は、前記制御対象ゲートウェイアドレスを記憶する記憶部と、前記ゲートウェイからの呼接続要求に応じて当該ゲートウェイを呼接続する呼接続部と、を含むことを特徴とする請求項１に記載の呼接続機能集約方法。
【発明の詳細な説明】
【技術分野】
【０００１】
本発明は、複数のゲートウェイと、当該ゲートウェイからのＶｏＩＰ呼接続要求に応じて呼接続する呼接続機能を各々が有する複数のゲートウェイ制御装置と、を含むＶｏＩＰ電話システムにおける呼接続機能集約方法に関する。
【背景技術】
【０００２】
通信端末やネットワーク間を接続する装置であるメディアゲートウェイ装置（Media Gateway、以下、単にゲートウェイと称する）を、メディアゲートウェイ制御装置（Media Gateway Controller、以下、単にゲートウェイ制御装置と称する）が制御して呼接続の確立及び制御を行うＭＧＣＰ（Media Gateway Control Protocol）などのＶｏＩＰ（Voice over Internet Protocol）シグナリングプロトコルが知られている（例えば非特許文献１）。該プロトコルでは、ゲートウェイ制御装置を主、ゲートウェイを従とした主従関係がある。以下、該プロトコルに基づいて構築されたＶｏＩＰ電話交換システムにおけるゲートウェイ制御装置を中心としたシステムの構成をソフトスイッチ構成と称する。
【０００３】
ソフトスイッチ構成におけるシステムの運用上、ゲートウェイ制御装置の呼接続機能の集約が要望される場合がある。例えば、ゲートウェイ制御装置を動作させるためのソフトウェアの処理性能の向上やハードウェアの機能向上によるゲートウェイ制御装置の性能向上に伴って、１つのゲートウェイ制御装置が管理可能なゲートウェイの個数が増加した場合などである。このような場合には、複数の既存のゲートウェイ制御装置の呼接続機能を、性能が向上したゲートウェイ制御装置に集約して、当該既存のゲートウェイ制御装置をシステムから除外することにより、運用上のコストを削減できるなどのメリットがある。
【０００４】
ゲートウェイ制御装置は、自身が管理／制御する複数のゲートウェイの各々についての関連データ（ゲートウェイのアドレスなど）を管理し、該関連データに基づいて複数のゲートウェイ間の呼の接続及び制御を行う。一方、ゲートウェイは、自身がアクセスすべきゲートウェイ制御装置の関連データ（ゲートウェイ制御装置のアドレスなど）を管理し、該関連データに基づいてゲートウェイ制御装置との間で呼接続を行う。
【非特許文献１】IETF RFC3435 "Media Gateway Control Protocol (MGCP) Version 1.0", F.Andreasen, B.Foster. January 2003.
【発明の開示】
【発明が解決しようとする課題】
【０００５】
上記したようにゲートウェイ制御装置とゲートウェイとの間には主従関係があることから、従来、ゲートウェイ制御装置の呼接続機能を集約する場合には、ゲートウェイ制御装置及びゲートウェイの双方において該関連データを同時に変更しなければならなかった。変更対象のゲートウェイの個数がごく少数の場合には変更作業は容易であるが、ゲートウェイの個数が数千〜数十万の場合、ゲートウェイ制御装置及びゲートウェイの双方においてタイミングを計りつつ関連データの変更作業を同時進行で行うことは困難であると共に多大な作業工数及び時間を要してしまうという問題点があった。これらの双方において関連データの変更が完了するまでの長期間、ゲートウェイからの呼は不通となっていた。
【０００６】
本発明は上記した如き問題点に鑑みてなされたものであって、多数のゲートウェイがＶｏＩＰ電話システムに含まれている場合においてもゲートウェイ制御装置の呼接続機能の集約作業を簡単に行うことができる呼接続機能集約方法を提供することを目的とする。
【課題を解決するための手段】
【０００７】
本発明による呼接続機能集約方法は、各々が呼接続要求先アドレスに基づいてＶｏＩＰの呼接続要求を発する複数のゲートウェイと、制御対象ゲートウェイアドレスに対応するゲートウェイからの呼接続要求に応じて呼接続する呼接続機能を各々が有する複数のゲートウェイ制御装置と、を含むＶｏＩＰ電話システムにおける、前記複数のゲートウェイ制御装置の内の少なくとも２つの既存ゲートウェイ制御装置の呼接続機能を集約ゲートウェイ制御装置に集約する呼接続機能集約方法であって、前記集約ゲートウェイ制御装置における制御対象ゲートウェイアドレスを前記既存ゲートウェイ制御装置に設定されている制御対象ゲートウェイアドレスとするアドレス設定ステップと、前記既存ゲートウェイ制御装置に代えて前記既存ゲートウェイ制御装置のアドレスを自身のアドレスとし且つ前記集約ゲートウェイ制御装置のアドレスを中継先アドレスとして設定している呼中継装置により前記ゲートウェイからの呼接続要求を前記集約ゲートウェイ制御装置へ中継する呼中継ステップと、前記既存ゲートウェイ制御装置のアドレスを前記呼接続要求先アドレスとしていたゲートウェイにおける当該呼接続要求先アドレスの設定を前記集約ゲートウェイ制御装置のアドレスへ変更するアドレス変更ステップと、を含むことを特徴とする。
【発明を実施するための最良の形態】
【０００８】
以下、本発明に係る実施例について添付の図面を参照しつつ詳細に説明する。
【０００９】
図１はＶｏＩＰ電話システム１を表すブロック図である。ＶｏＩＰ電話システム１は、インターネットプロトコルを利用した電話システムであり、同図にはゲートウェイ制御装置を中心とした構成、いわゆるソフトスイッチ構成が図示されている。ＶｏＩＰ電話システム１には、既存ゲートウェイ制御装置２０−１、２０−２及び集約ゲートウェイ制御装置２０−３が含まれている。既存ゲートウェイ制御装置２０−１はゲートウェイ１０−１、１０−２及びＵＮＩ（User-Network Interface）ゲートウェイ３０−１を、既存ゲートウェイ制御装置２０−２はゲートウェイ１０−３、ＵＮＩゲートウェイ３０−２、ＳＧＷ（Signaling Gateway）４０及びＴＧＷ（Trunking Gateway）５０を、集約ゲートウェイ制御装置２０−３はゲートウェイ１０−４を、それぞれ制御して呼接続などの処理を行う。ゲートウェイ１０−１及び１０−２の各々は既存ゲートウェイ制御装置２０−１に、ゲートウェイ１０−３は既存ゲートウェイ制御装置２０−２に、ゲートウェイ１０−４は集約ゲートウェイ制御装置２０−３に、それぞれ、図示せぬＶｏＩＰ電話端末からの呼に応じて呼接続要求を発する。ＶｏＩＰ電話システム１には、各々がゲートウェイ１０−１と同様の機能を有する数千〜数十万のゲートウェイ（図示せず）が含まれており、その各々が既存ゲートウェイ制御装置２０−１、２０−２または集約ゲートウェイ制御装置２０−３の内のいずれかの制御下に置かれている。同図に図示されている装置の各々は、ＩＰ網を介して相互に通信を行う。なお、同図にはＩＰ網は図示されておらず、相互の通信接続関係が実線で表されている。
【００１０】
既存ゲートウェイ制御装置２０−１、２０−２及び集約ゲートウェイ制御装置２０−３の各々は、自身の制御下にあるゲートウェイのＩＰアドレスを制御対象ゲートウェイアドレスとして記憶している。図２は、既存ゲートウェイ制御装置２０−１を表すブロック図である。既存ゲートウェイ制御装置２０−１は、呼接続要求部２１と、記憶部２２と、を含む。記憶部２２は、既存ゲートウェイ制御装置２０−１の制御対象であるゲートウェイ１０−１、１０−２及びＵＮＩゲートウェイ３０−１の各々のＩＰアドレス（制御対象ゲートウェイアドレス）などのゲートウェイ関連データを記憶している。ゲートウェイ関連データは、必要に応じて既存ゲートウェイ制御装置２０−１の管理者により図示せぬ入力部から入力され、記憶部２２が当該入力されたゲートウェイ関連データを記憶する。呼接続要求部２１は、呼接続要求に応じて、記憶部２２に記憶されている制御対象ゲートウェイアドレスに対応するゲートウェイ１０−１、１０−２及びＵＮＩゲートウェイ３０−１の呼接続及び制御を行う。また、記憶部２２は、ＮＮＩ（Network-Network Interface）回線及びＵＮＩ（User-Network Interface）回線の回線接続情報も記憶している。なお、ＮＮＩ回線及びＵＮＩ回線については後述する。既存ゲートウェイ制御装置２０−２及び集約ゲートウェイ制御装置２０−３の各々も、既存ゲートウェイ制御装置２０−１と同様の構成である。既存ゲートウェイ制御装置２０−１及び２０−２の構成と、集約ゲートウェイ制御装置２０−３の構成とは同じであるが、本発明による呼接続機能集約方法により、既存ゲートウェイ制御装置２０−１及び２０−２の呼接続機能を集約ゲートウェイ制御装置２０−３に集約するという意味で、このような名称としている。
【００１１】
一方、ゲートウェイ１０−１〜１０−４の各々は、図示せぬＶｏＩＰ電話端末からの呼に応じて呼接続要求を発する先のゲートウェイ制御装置のＩＰアドレスを呼接続要求先アドレスとして記憶している。図３は、ゲートウェイ１０−１を表すブロック図である。ゲートウェイ１０−１は、呼接続部１１と、記憶部１２と、を含む。記憶部１２は、ゲートウェイ１０−１の呼接続要求発信先である既存ゲートウェイ制御装置２０−１のＩＰアドレス（呼接続要求先アドレス）及びゲートウェイ制御装置関連データを記憶している。呼接続部１１は、ＶｏＩＰ呼に応じて、記憶部１２に記憶されている呼接続要求先アドレスに対応する既存ゲートウェイ制御装置２０−１へ呼接続要求を発する。ゲートウェイ１０−１の管理者は、呼接続機能の集約を行う際に、図示せぬ入力部からＩＰアドレスなどのゲートウェイ制御装置関連データを入力し、記憶部１２が当該入力されたゲートウェイ制御装置関連データを記憶する。このとき、記憶部１２は、当該入力されたＩＰアドレスを呼接続要求先アドレスとして記憶する。ゲートウェイ１０−２〜１０−４の各々も、ゲートウェイ１０−１と同様の構成である。
【００１２】
既存ゲートウェイ制御装置２０−１と、ゲートウェイ１０−１及び１０−２と、の間には、既存ゲートウェイ制御装置２０−１を主、ゲートウェイ１０−１及び１０−２を従とする主従関係がある。既存ゲートウェイ制御装置２０−１は、従となるゲートウェイ１０−１及び１０−２のＩＰアドレス（制御対象ゲートウェイアドレス）を記憶しており、ゲートウェイ１０−１及び１０−２の各々は、主となる既存ゲートウェイ制御装置２０−１のＩＰアドレス（呼接続要求先アドレス）を記憶している。既存ゲートウェイ制御装置２０−２とゲートウェイ１０−３との間、集約ゲートウェイ制御装置２０−３とゲートウェイ１０−４との間、にも同様の主従関係が成り立っており、これらも同様に互いのＩＰアドレスを記憶している。
【００１３】
既存ゲートウェイ制御装置２０−１、２０−２、集約ゲートウェイ制御装置２０−３及びゲートウェイ１０−１〜１０−４の間での呼接続処理は以下のようになされる。例えば、ゲートウェイ１０−１が、ゲートウェイ１０−２を接続先とした呼接続要求を既存ゲートウェイ制御装置２０−１に発したとする。この場合、既存ゲートウェイ制御装置２０−１はゲートウェイ１０−２に呼接続要求を発し、ゲートウェイ１０−１とゲートウェイ１０−２との間で呼接続を確立する。また、例えば、ゲートウェイ１０−１が、ゲートウェイ１０−３を接続先とした呼接続要求を既存ゲートウェイ制御装置２０−１に発したとする。この場合、既存ゲートウェイ制御装置２０−１は、既存ゲートウェイ制御装置２０−２に呼接続要求を発し、既存ゲートウェイ制御装置２０−２がゲートウェイ１０−３に呼接続要求を発する。これにより、ゲートウェイ１０−１とゲートウェイ１０−３との間に呼接続が確立される。集約ゲートウェイ制御装置２０−３、ゲートウェイ１０−４及び既存ＭＧＣ網６０に接続されている図示せぬゲートウェイとの間での呼接続に関しても同様の手順で呼接続が確立される。
【００１４】
ＶｏＩＰ電話システム１から図示せぬ公衆交換網へ呼接続する場合、呼接続を制御するための中継交換網（図示せず）と、音声データを制御するための伝送網（図示せず）と、を分けて接続するＮＮＩ回線接続、及び、ＩＳＤＮ（Integrated Services Digital Network）回線による呼接続と音声データとを制御するための回線を同一回線として接続するＵＮＩ回線接続、の２種類の接続方法がある。
【００１５】
ＮＮＩ回線接続をする場合、既存ゲートウェイ制御装置２０−２が、自身が記憶している回線接続情報に基づいて、ＳＧＷ４０を制御することにより中継交換網の処理を実施し、ＴＧＷ５０を制御することにより音声データに関する処理を実施する。ＵＮＩ回線接続をする場合、既存ゲートウェイ制御装置２０−１が、自身が管理している回線接続情報に基づいてＵＮＩゲートウェイ３０−１を制御し、既存ゲートウェイ制御装置２０−２が、自身が記憶している制御データに基づいてＵＮＩゲートウェイ３０−２を制御することにより呼接続と音声データに関する処理を実施する。
【００１６】
例えば、ゲートウェイ１０−３がＮＮＩ回線接続をする場合、ゲートウェイ１０−３が既存ゲートウェイ制御装置２０−２に呼接続要求を発し、既存ゲートウェイ制御装置２０−２がＳＧＷ４０及びＴＧＷ５０を制御することにより、ゲートウェイ１０−３と公衆交換網との間の呼接続を確立する。また、例えば、ゲートウェイ１０−１がＮＮＩ回線接続をする場合、最初にゲートウェイ１０−１が既存ゲートウェイ制御装置２０−１に呼接続要求を発する。既存ゲートウェイ制御装置２０−１は、既存ゲートウェイ制御装置２０−２に呼接続要求を発し、既存ゲートウェイ制御装置２０−２がＳＧＷ４０及びＴＧＷ５０を制御することにより、ゲートウェイ１０−３と公衆交換網との間の呼接続を確立する。
【００１７】
例えば、ゲートウェイ１０−１がＵＮＩ回線接続をする場合、ゲートウェイ１０−１が既存ゲートウェイ制御装置２０−１に呼接続要求を発し、既存ゲートウェイ制御装置２０−１がＵＮＩゲートウェイ３０−１を制御することにより、ゲートウェイ１０−１と公衆交換網との間の呼接続を確立する。また、例えば、既存ゲートウェイ制御装置２０−２がＵＮＩ回線との呼接続を管理している場合、既存ゲートウェイ制御装置２０−１は、ゲートウェイ１０−１からの呼接続要求に応じて、既存ゲートウェイ制御装置２０−２に呼接続要求を発し、既存ゲートウェイ制御装置２０−２がＵＮＩゲートウェイ３０−１を制御することにより、ゲートウェイ１０−１と公衆交換網との間の呼接続を確立する。集約ゲートウェイ制御装置２０−３、ゲートウェイ１０−４及び既存ＭＧＣ網６０に接続されている図示せぬゲートウェイとの間でのＮＮＩ／ＵＮＩ回線接続に関しても同様の手順で呼接続が確立される。
【００１８】
図４は呼接続機能集約処理を表すフローチャートである。以下、図４を参照しつつ、既存ゲートウェイ制御装置２０−１及び２０−２の呼接続機能を、集約ゲートウェイ制御装置２０−３に集約する場合の処理について説明する。なお、ＶｏＩＰ電話システム１には、各々がゲートウェイ１０−１と同様の機能を有する数千〜数十万のゲートウェイ（図示せず）が含まれているが、これらに関する説明は省略する。これらのゲートウェイ自身が行う処理及びこれらのゲートウェイに対してなされる処理はゲートウェイ１０−１の場合と同様である。
【００１９】
最初にシステム管理者が、ＶｏＩＰ電話システム１に含まれている複数のゲートウェイ制御装置の内、ソフトウェアあるいはハードウェアの改善により処理性能が向上したゲートウェイ制御装置を、呼接続機能の集約先のゲートウェイ制御装置として設定する（ステップＳ１０１）。図１では、集約ゲートウェイ制御装置２０−３がこれに該当する。
【００２０】
次にＵＮＩゲートウェイ３０−１、３０−２、ＳＷＧ４０及びＴＷＧ５０を、集約ゲートウェイ制御装置２０−３と接続できるように移設すると共に、既存ゲートウェイ制御装置２０−１がＵＮＩの回線接続情報を、既存ゲートウェイ制御装置２０−２がＮＮＩ及びＵＮＩの回線接続情報を、それぞれ集約ゲートウェイ制御装置２０−３に与える（ステップＳ１０２）。図５はＮＮＩ／ＵＮＩの回線接続情報を移設したＶｏＩＰ電話システムを表すブロック図である。ここでは移設されたＵＮＩゲートウェイ３０−１及び３０−２を統合して、ＵＮＩゲートウェイ３０−３として図示してある。集約ゲートウェイ制御装置２０−３は、受け取った回線接続情報に基づいて、ＮＮＩ及びＵＮＩによる回線接続に必要な設定を行い、以降、呼接続要求に応じてＮＮＩ／ＵＮＩ回線接続処理を実行する。例えば、既存ゲートウェイ制御装置２０−２からの公衆交換網への呼接続は、同図中に点線で示されるＡＣ１のように、集約ゲートウェイ制御装置２０−３を介してなされる。既存ゲートウェイ制御装置２０−１からの公衆交換網への呼接続は同図中に点線で示されるＡＣ２のように、既存ＭＧＣ網６０からの公衆交換網への呼接続は同図中に点線で示されるＡＣ３のように、それぞれ、同様に集約ゲートウェイ制御装置２０−３を介してなされる。
【００２１】
続いて集約ゲートウェイ制御装置２０−３の管理者は、既存ゲートウェイ制御装置２０−１に制御対象ゲートウェイアドレスとして設定されていたゲートウェイ１０−１、１０−２のＩＰアドレスなどのゲートウェイ関連データを集約ゲートウェイ制御装置２０−３に記憶させる。ゲートウェイ関連データは、集約ゲートウェイ制御装置２０−３に含まれる図示せぬ入力部から管理者により入力される。集約ゲートウェイ制御装置２０−３は、当該ＩＰアドレスを制御対象ゲートウェイアドレスとして設定する（ステップＳ１０３）。同様に管理者は、既存ゲートウェイ制御装置２０−２に制御対象ゲートウェイアドレスとして設定されていたゲートウェイ１０−３のＩＰアドレス及びゲートウェイ関連データを集約ゲートウェイ制御装置２０−３に記憶させる。集約ゲートウェイ制御装置２０−３は、図示せぬ入力部から管理者により入力されたゲートウェイ１０−３のＩＰアドレスを制御対象ゲートウェイアドレスとして設定する。
【００２２】
ＮＮＩ／ＵＮＩの回線接続情報、制御対象ゲートウェイアドレスなどのゲートウェイ関連データを集約ゲートウェイ制御装置２０−３に設定し終わったことを条件とし、システム管理者が、既存ゲートウェイ制御装置２０−１及び２０−２と、集約ゲートウェイ制御装置２０−３及び既存ＭＧＣ網との間におけるＭＧＣとしてのアクセス情報（ＭＧＣ方路情報）を閉塞し、これらの間の送受信アクセスを遮断する（ステップＳ１０４）。図６は既存ゲートウェイ制御装置２０−１及び２０−２と、集約ゲートウェイ制御装置２０−３及び既存ＭＧＣ網との間の送受信アクセスを遮断したＶｏＩＰ電話システムを表すブロック図である。同図中に点線で示される経路ＣＬ１〜ＣＬ４において送受信アクセスが遮断されている。なお、次に述べる呼中継装置の設置が即時、実行可能な状態にあるときに、送受信アクセスを遮断するのが望ましい。
【００２３】
次に、システム管理者は、既存ゲートウェイ制御装置２０−１及び２０−２に代えて、呼中継装置７０−１及び７０−２を、ＶｏＩＰ電話システム１内に設置する（ステップＳ１０５）。以下、呼中継装置７０−１、７０−２を、それぞれＮＡＴ（Network Address Translation）７０−１、７０−２と称する。図７はＮＡＴ７０−１及び７０−２が設置されたＶｏＩＰ電話システムを表すブロック図である。
【００２４】
図８はＮＡＴ７０−１を表すブロック図である。ＮＡＴ７０−１は呼中継部７１と、記憶部７２と、を含む。記憶部７２は、既存ゲートウェイ制御装置２０−１が制御対象ゲートウェイアドレスとして設定していたゲートウェイ１０−１及び１０−２の各々のＩＰアドレス、集約ゲートウェイ制御装置２０−３のＩＰアドレスを記憶している。呼中継部７１はゲートウェイ１０−１及び１０−２の各々のＩＰアドレスを制御対象ゲートウェイアドレスとして設定すると共に、集約ゲートウェイ制御装置２０−３のＩＰアドレスを中継先ＩＰアドレスとして設定し、ゲートウェイ１０−１及び１０−２からの呼接続要求を集約ゲートウェイ制御装置２０−３に中継する（図７中の点線ＡＣ４）。また、ＮＡＴ７０−１自身のＩＰアドレスは、既存ゲートウェイ制御装置２０−１のＩＰアドレスと同一である。
【００２５】
ＮＡＴ７０−２もＮＡＴ７０−１と同様の構成である。ＮＡＴ７０−２は、ゲートウェイ１０−３のＩＰアドレスを制御対象ゲートウェイアドレスとして設定すると共に、集約ゲートウェイ制御装置２０−３のＩＰアドレスを中継先ＩＰアドレスとして設定し、ゲートウェイ１０−３からの呼接続要求を集約ゲートウェイ制御装置２０−３に中継する（図７中の点線ＡＣ５）。また、ＮＡＴ７０−２自身のＩＰアドレスは、既存ゲートウェイ制御装置２０−２のＩＰアドレスと同一である。なお、この時点においては、ゲートウェイ１０−１及び１０−２は既存ゲートウェイ制御装置２０−１のＩＰアドレスを呼接続要求先アドレスとして設定したままである。同様に、ゲートウェイ１０−３は既存ゲートウェイ制御装置２０−２のＩＰアドレスを呼接続要求先アドレスとして設定したままである。
【００２６】
ゲートウェイ１０−１〜１０−３からの呼接続要求は、ＮＡＴ７０−１若しくは７０−２を経由して集約ゲートウェイ制御装置２０−３に中継され、集約ゲートウェイ制御装置２０−３が当該呼接続要求に応じて呼接続を確立する。一方、集約ゲートウェイ制御装置２０−３は、ステップＳ１０４においてゲートウェイ１０−１〜１０−３の各々のＩＰアドレスを制御対象ゲートウェイアドレスとして設定しており、ＮＡＴ７０−１及び７０−２を経由せず、ゲートウェイ１０−１〜１０−３の呼接続を直接、制御する（ステップＳ１０６）。
【００２７】
続いてゲートウェイ１０−１の管理者は、ゲートウェイ１０−１の呼接続要求先アドレスを既存ゲートウェイ制御装置２０−１のＩＰアドレスから集約ゲートウェイ制御装置２０−３のＩＰアドレスへ変更する。ゲートウェイ１０−２の管理者は、ゲートウェイ１０−２の呼接続要求先アドレスを既存ゲートウェイ制御装置２０−１のＩＰアドレスから集約ゲートウェイ制御装置２０−３のＩＰアドレスへ変更する。ゲートウェイ１０−３の管理者は、呼接続要求先アドレスを既存ゲートウェイ制御装置２０−２のＩＰアドレスから集約ゲートウェイ制御装置２０−３のＩＰアドレスへ変更する（ステップＳ１０７）。なお、ＶｏＩＰ電話システム１には、各々がゲートウェイ１０−１と同様の機能を有する数千〜数十万のゲートウェイ（図示せず）が含まれており、これらの各々の管理者が同様の変更を行う。上記した変更処理により、ゲートウェイ１０−１〜１０−３の各々は、呼接続要求先アドレスを集約ゲートウェイ制御装置２０−３のＩＰアドレスに設定しており、ＮＡＴ７０−１及び７０−２を経由せずに直接、集約ゲートウェイ制御装置２０−３へ呼接続要求できる（ステップＳ１０８）。
【００２８】
ゲートウェイ１０−１〜１０−４を含む数千〜数十万の全てのゲートウェイについて呼接続要求先アドレスの変更が完了し、当該呼接続要求が問題無く行えたことが確認された場合に、システム管理者がＮＡＴ７０−１及び７０−２をＶｏＩＰ電話システム１から切り離す（ステップＳ１０９）。図９は、呼接続機能の集約が完了したＶｏＩＰ電話システム１を表すブロック図である。呼接続機能集約前のＶｏＩＰ電話システム１（図１に示される）に含まれていた既存ゲートウェイ制御装置２０−１及び２０−２の呼接続機能が集約ゲートウェイ制御装置２０−３に集約され、既存ゲートウェイ制御装置２０−１及び２０−２はシステム構成から除外されている。ゲートウェイ１０−１〜１０−４の各々は、集約ゲートウェイ制御装置２０−３に直接、呼接続要求を発し、公衆交換網との呼接続を確立することができる。
【００２９】
上記したように本実施例による呼接続機能集約方法によれば、ＶｏＩＰ電話システムに含まれている既存ゲートウェイ制御装置の各々に制御対象ゲートウェイアドレスとして設定されていたゲートウェイのＩＰアドレスを、集約ゲートウェイ制御装置における制御対象ゲートウェイアドレスとして設定する。集約ゲートウェイ制御装置が当該ＩＰアドレスを制御対象ゲートウェイアドレスとして設定することにより、既存ゲートウェイ制御装置の制御下にあるゲートウェイの呼接続を直接、制御可能になる。既存ゲートウェイ制御装置の制御下にある全てのゲートウェイが、呼接続要求先アドレスの設定を既存ゲートウェイ制御装置のＩＰアドレスから集約ゲートウェイ制御装置のＩＰアドレスへ変更するまでの間、ＮＡＴ（呼中継装置）がゲートウェイからの呼接続要求を集約ゲートウェイ制御装置へ中継する。全てのゲートウェイが呼接続要求先アドレスの変更を終了した後で、ＮＡＴをＶｏＩＰ電話システムから切り離し、ゲートウェイから集約ゲートウェイ制御装置への直接の呼接続要求が可能になる。
【００３０】
これにより、ゲートウェイとゲートウェイ制御装置との間で呼を接続／制御しながら、ゲートウェイ制御装置におけるゲートウェイのＩＰアドレスなどの関連データの変更と、ゲートウェイの各々におけるゲートウェイ制御装置のＩＰアドレスなどの関連データの変更と、を段階的に行うことができる。そのため、ゲートウェイ制御装置とゲートウェイとの間の主従関係を保つために、集約先のゲートウェイ制御装置及び集約対象のゲートウェイ制御装置の制御下にある全てのゲートウェイにおいて、該関連データを同時に変更する必要が無く、多数のゲートウェイがＶｏＩＰ電話システムに含まれている場合においても、ゲートウェイ制御装置の呼接続機能の集約作業を容易に行うことができる。
【図面の簡単な説明】
【００３１】
【図１】ＶｏＩＰ電話システムを表すブロック図である。
【図２】ゲートウェイ制御装置を表すブロック図である。
【図３】ゲートウェイを表すブロック図である。
【図４】呼接続機能集約処理を表すフローチャートである。
【図５】ＮＮＩ／ＵＮＩの回線接続情報を移設したＶｏＩＰ電話システムを表すブロック図である。
【図６】既存ゲートウェイ制御装置との呼接続を遮断したＶｏＩＰ電話システムを表すブロック図である。
【図７】ＮＡＴが設置されたＶｏＩＰ電話システムを表すブロック図である。
【図８】ＮＡＴを表すブロック図である。
【図９】呼接続機能の集約が完了したＶｏＩＰ電話システムを表すブロック図である。
【符号の説明】
【００３２】
１  ＶｏＩＰ電話システム
１０−１〜１０−４  ゲートウェイ
１１  呼接続部
１２  記憶部
２０−１、２０−２  既存ゲートウェイ制御装置
２１  呼接続要求部
２２  記憶部
２０−３  集約ゲートウェイ制御装置
３０−１、３０−２  ＵＮＩゲートウェイ
４０  ＳＷＧ
５０  ＴＷＧ
６０  既存ＭＧＣ網
７０−１、７０−２  ＮＡＴ（呼中継装置）
７１  呼中継部
７２  記憶部
【図１】
2009130605.tif 000003
【図２】
2009130605.tif 000004
【図３】
2009130605.tif 000005
【図４】
2009130605.tif 000006
【図５】
2009130605.tif 000007
【図６】
2009130605.tif 000008
【図７】
2009130605.tif 000009
【図８】
2009130605.tif 000010
【図９】
2009130605.tif 000011